(57)【要約】【課題】オペレーションシステム保存のデータディスクでコンピュータ装置を急速起動する方法の提供。【解決手段】データディスクの起動セクタ中に、インストール設定されたオペレーションシステムを保存し、並びにデータディスクのデータセクタ中の媒体データ読み取りプログラム及び少なくとも一つの媒体データをインストールし、コンピュータ装置起動時に、該コンピュータ装置にデータディスクをコンピュータ装置のオペレーションシステム起動装置となし、並びに該データディスクのオペレーションシステムをロード並びに実行させ、続いて直接該データディスク中の媒体データ読み取りプログラムを起動、実行し、該データディスク中に保存された媒体データをブラウズする。本発明の好ましい実施例によると、該コンピュータ装置のシステムメモリ中に所定のランダムアクセスディスク領域を画定して該オペレーションシステム、媒体データ読み取りプログラムを実行するのに必要な空間となす。【選択図】図１
2007035016.tif 000002
【特許請求の範囲】
【請求項１】
オペレーションシステム保存のデータディスクでコンピュータ装置を急速起動する方法において、データディスクの起動セクタ中に、オペレーションシステムが保存され、並びにデータディスク中に媒体データ読み取りプログラム、少なくとも一つの媒体データ、コンフィギュレーション設定パラメータファイルがインストールされ、この方法は、
（ａ）コンピュータ装置を起動するステップ、
（ｂ）該データディスクをコンピュータ装置のオペレーションシステム起動装置となすステップ、
（ｃ）該データディスクのオペレーションシステムをロード及び実行するステップ、
（ｄ）該データディスクのコンフィギュレーション設定パラメータファイルを実行して該コンピュータ装置のシステムコンフィギュレーション設定を実行するステップ、
（ｅ）該媒体データ読み取りプログラムを起動し、該データディスク中に保存された媒体データをブラウズするステップ、
以上のステップを包含したことを特徴とする、オペレーションシステム保存のデータディスクでコンピュータ装置を急速起動する方法。
【請求項２】
請求項１記載のオペレーションシステム保存のデータディスクでコンピュータ装置を急速起動する方法において、データディスク中にプログラム実行バッチファイルが保存され、並びにこのプログラム実行バッチファイル中に該媒体データ読み取りプログラム実行の設定が設けられ、該コンピュータ装置に該プログラム実行バッチファイルを実行する時に、直接該データディスク中の媒体データ読み取りプログラムを起動、実行させることを特徴とする、オペレーションシステム保存のデータディスクでコンピュータ装置を急速起動する方法。
【請求項３】
請求項１記載のオペレーションシステム保存のデータディスクでコンピュータ装置を急速起動する方法において、データディスク中の媒体データ読み取りプログラムがイメージデータ読み取りプログラムとされ、該データディスク中の媒体データがイメージデータとされたことを特徴とする、オペレーションシステム保存のデータディスクでコンピュータ装置を急速起動する方法。
【請求項４】
請求項１記載のオペレーションシステム保存のデータディスクでコンピュータ装置を急速起動する方法において、（ａ）のステップの前に、該データディスクをコンピュータ装置のオペレーションシステム起動装置として設定するステップを包含することを特徴とする、オペレーションシステム保存のデータディスクでコンピュータ装置を急速起動する方法。
【請求項５】
請求項１記載のオペレーションシステム保存のデータディスクでコンピュータ装置を急速起動する方法において、（ｂ）のステップの後に、コンピュータ装置のシステムメモリ中に所定のランダムアクセスディスク領域を画定してオペレーションシステム、媒体データ読み取りプログラムの実行に必要な空間となすステップを包含することを特徴とする、オペレーションシステム保存のデータディスクでコンピュータ装置を急速起動する方法。
【請求項６】
請求項１記載のオペレーションシステム保存のデータディスクでコンピュータ装置を急速起動する方法において、（ｃ）のステップの前に、データディスクが存在するか否かを検出及び確認するステップを包含することを特徴とする、オペレーションシステム保存のデータディスクでコンピュータ装置を急速起動する方法。
【発明の詳細な説明】
【技術分野】
【０００１】
本発明は一種のコンピュータ装置を急速起動する方法に係り、特にオペレーションシステム保存のデータディスクでコンピュータ装置を急速起動する方法に関する。
【背景技術】
【０００２】
マルチメディア再生機能を具備するコンピュータ装置の応用領域中には、各種の媒体データフォーマットがある。異なる媒体データに対応し、各ソフトウエアメーカーもまた異なる媒体再生アプリケーションプログラムを設計している。コンピュータ装置は適宜媒体アプリケーションプログラムにより媒体データを現出させることができる。
【０００３】
既存のマルチメディアコンピュータ装置にあって、どのような種類の媒体データを読み取るか、或いはどのような媒体アプリケーションプログラムを実行するかに関わらず、その大部分の設計はコンピュータ装置に依存している。ユーザーが該媒体オーディオビデオ再生機能を実行する場合は、コンピュータ装置のオペレーションシステムにより該媒体再生装置のアプリケーションプログラムを起動しなければ実行できない。即ち、操作者はまずコンピュータ装置を起動し、並びに該コンピュータ装置に基本入出力システムプログラム起動、ＰＯＳＴ（パワーオンセルフテスト）、周辺設備の検出及び駆動、オペレーションシステムの起動、システムコンフィギュレーション設定などの全てのプロセスを完成させなければならない。冗長なコンピュータ起動プロセス中、ユーザーは経常的に非常に長い待機時間を費やさねばならず、急速起動とマルチメディアデータの再生の機能を達成できず、ゆえに使用上、不便なところがある。
【０００４】
例えば、一般にイメージファイル（ＪＰＧ、ＧＩＦ、ＴＩＦＦ等）は例えばＣＤ或いはＤＶＤ等のデータディスクに記録されている時、予めオペレーションシステムと指定イメージファイルの再生可能なアプリケーションプログラム（例えばＡＣＤｓｅｅ、Ｐｈｏｔｏｓｈｏｐ）がインストールされたコンピュータ装置中でなければ、データディスク上のイメージファイルを見る事ができない。
【０００５】
さらに、コンピュータ装置はプログラム実行完成後、コンピュータ装置の正常終了規定により終了しなければならず、そうでなく強制終了すると、コンピュータ装置のハードディスクの損害或いはハードディスク中のデータの損壊をもたらしうる。
【０００６】
イメージファイルは読み取りのために異なるイメージファイルアプリケーションプログラムを必要とするほか、このイメージファイルアプリケーションプログラムもまたコンピュータ装置がどの種類のオペレーションシステムを採用しているかの制限を受け、データディスクのイメージファイルが異なるコンピュータ装置オペレーションシステムフォーマットで記録されている場合、該コンピュータ装置のオペレーションシステム環境下ではイメージファイルの再生或いはブラウジングを順調に実行できない。
【発明の開示】
【発明が解決しようとする課題】
【０００７】
上述の技術の欠点を克服するため、現在、既にマルチメディアオーディオビデオ機能のインスタントプレイの設計があるが、そのほとんどの設計は該コンピュータ装置のハードディスク中に異なるハードディスク分割領域を画定し、並びにこの異なるハードディスク分割領域中に第１オペレーションシステム（例えばＬｉｎｕｘ（登録商標）ベースオペレーションシステム）及び第２オペレーションシステム（例えば現在広く使用されているＷｉｎｄｏｗｓ（登録商標）オペレーションシステム）をインストールし、並びに該コンピュータ装置の基本入出力システム（ＢＩＯＳ）に対して部分的変更を行う、というものである。ゆえに操作者が必要によりコンピュータオペレーションモード或いはマルチメディア再生モードを選択実行することができる。操作者がマルチメディア再生モードを選択実行する時は、コンピュータ起動後に、コンピュータ装置は一般のコンピュータ装置の起動プロセスを実行せず、直接第１分割領域中の第１オペレーションシステムをロード及び実行し、並びに必要なオーディオビデオ装置を駆動し、更に操作者がどの種類の再生機能（例えばＤＶＤ）を選択するかにより、オーディオビデオ再生する。即ち、操作者は一般のコンピュータのＷｉｎｄｏｗｓ（登録商標）オペレーションシステムに進入せずにすみ、長い起動時間を節約でき、コンピュータ装置の全てのハードウエア設備を初期化する必要もない。
【０００８】
しかし、前述の従来の技術にあって、マルチメディアオーディオビデオ再生機能のインスタントプレイの機能は達成できるものの、該コンピュータ装置中に異なる分割領域を画定して別のオペレーションシステム及び各種のマルチメディアオーディオビデオ再生アプリケーションプログラムを保存しなければならず、且つ該コンピュータ装置の基本入出力システムに対して一部変更する必要があり、このため、コンピュータ装置のハードディスクセクタが複雑化し、且つ変更済みの基本入出力システム機能は、ある特定製品上でしか使用できず、一般のコンピュータ装置には適用不能である。
【０００９】
更に、従来の技術は、コンピュータ装置のハードディスク中に特定のデータ保存セクタを画定することによりアプリケーションプログラムの起動実行に必要なプログラム及び情報を保存する必要があり、ゆえに該コンピュータ装置のハードディスク空間を浪費し、且つ該特定区分の特定セクタは使用者がアクセスと更新を行うことができず、また使用者のハードディスクに対する使用権を制限した。
【００１０】
これにより、本発明の主要な目的は、一種のオペレーションシステム保存のデータディスクでコンピュータ装置を急速起動する方法を提供し、コンピュータ装置における、媒体再生機能実行時に、特定の基本入出力システム及び特定のハードディスク分割領域の制限を受けるために一般のコンピュータ装置の使用に適用できないという欠点を解決することにある。
【００１１】
本発明の別の目的は、一般のコンピュータオペレーションシステムを起動する必要なく媒体再生機能を実行できる方法を提供して、使用者が冗長な時間をコンピュータの起動のために費やすことがなく、コンピュータ装置の全てのハードウエア設備を初期化する必要もなくすことにある。
【００１２】
本発明の別の目的は、急速実行可能で操作が簡便なコンピュータ装置起動の方法を提供することにあり、それは、原コンピュータ装置の基本入出力システムを変更せずに、該コンピュータ装置が特定プログラムを実行する時に、データディスク中に保存された媒体データを急速ブラウズできる方法であるものとする。
【００１３】
本発明の別の目的は、オペレーションシステム保存のデータディスクでコンピュータ装置を急速起動する方法を提供し、本発明実行時に、コンピュータ装置の起動後に原コンピュータ装置のオペレーションシステムに進入せず、ゆえに原コンピュータ装置の異常周辺装置の影響を受けて原コンピュータ装置がフリーズするか或いは原コンピュータ装置のハードディスクデータが損壊することがないようにすることにある。
【００１４】
本発明が周知の技術の問題を解決するために採用する技術手段は、データディスクの起動セクタ中に、インストール設定されたオペレーションシステムを保存し、並びにデータディスクのデータセクタ中の媒体データ読み取りプログラム及び少なくとも一つの媒体データをインストールし、コンピュータ装置起動時に、該コンピュータ装置にデータディスクをコンピュータ装置のオペレーションシステム起動装置となし、並びに該データディスクのオペレーションシステムをロード並びに実行させ、続いて直接該データディスク中の媒体データ読み取りプログラムを起動、実行し、該データディスク中に保存された媒体データをブラウズできるようにする、というものである。本発明の好ましい実施例によると、該コンピュータ装置のシステムメモリ中に所定のランダムアクセスディスク領域を画定して該オペレーションシステム、媒体データ読み取りプログラムを実行するのに必要な空間となす。
【課題を解決するための手段】
【００１５】
請求項１の発明は、オペレーションシステム保存のデータディスクでコンピュータ装置を急速起動する方法において、データディスクの起動セクタ中に、オペレーションシステムが保存され、並びにデータディスク中に媒体データ読み取りプログラム、少なくとも一つの媒体データ、コンフィギュレーション設定パラメータファイルがインストールされ、この方法は、
（ａ）コンピュータ装置を起動するステップ、
（ｂ）該データディスクをコンピュータ装置のオペレーションシステム起動装置となすステップ、
（ｃ）該データディスクのオペレーションシステムをロード及び実行するステップ、
（ｄ）該データディスクのコンフィギュレーション設定パラメータファイルを実行して該コンピュータ装置のシステムコンフィギュレーション設定を実行するステップ、
（ｅ）該媒体データ読み取りプログラムを起動し、該データディスク中に保存された媒体データをブラウズするステップ、
以上のステップを包含したことを特徴とする、オペレーションシステム保存のデータディスクでコンピュータ装置を急速起動する方法としている。
請求項２の発明は、請求項１記載のオペレーションシステム保存のデータディスクでコンピュータ装置を急速起動する方法において、データディスク中にプログラム実行バッチファイルが保存され、並びにこのプログラム実行バッチファイル中に該媒体データ読み取りプログラム実行の設定が設けられ、該コンピュータ装置に該プログラム実行バッチファイルを実行する時に、直接該データディスク中の媒体データ読み取りプログラムを起動、実行させることを特徴とする、オペレーションシステム保存のデータディスクでコンピュータ装置を急速起動する方法としている。
請求項３の発明は、請求項１記載のオペレーションシステム保存のデータディスクでコンピュータ装置を急速起動する方法において、データディスク中の媒体データ読み取りプログラムがイメージデータ読み取りプログラムとされ、該データディスク中の媒体データがイメージデータとされたことを特徴とする、オペレーションシステム保存のデータディスクでコンピュータ装置を急速起動する方法としている。
請求項４の発明は、請求項１記載のオペレーションシステム保存のデータディスクでコンピュータ装置を急速起動する方法において、（ａ）のステップの前に、該データディスクをコンピュータ装置のオペレーションシステム起動装置として設定するステップを包含することを特徴とする、オペレーションシステム保存のデータディスクでコンピュータ装置を急速起動する方法としている。
請求項５の発明は、請求項１記載のオペレーションシステム保存のデータディスクでコンピュータ装置を急速起動する方法において、（ｂ）のステップの後に、コンピュータ装置のシステムメモリ中に所定のランダムアクセスディスク領域を画定してオペレーションシステム、媒体データ読み取りプログラムの実行に必要な空間となすステップを包含することを特徴とする、オペレーションシステム保存のデータディスクでコンピュータ装置を急速起動する方法としている。
請求項６の発明は、請求項１記載のオペレーションシステム保存のデータディスクでコンピュータ装置を急速起動する方法において、（ｃ）のステップの前に、データディスクが存在するか否かを検出及び確認するステップを包含することを特徴とする、オペレーションシステム保存のデータディスクでコンピュータ装置を急速起動する方法としている。
【発明の効果】
【００１６】
既存の技術と比較すると、本発明は所定オペレーションシステム及び媒体データ読み取りプログラムを保存したデータディスクをコンピュータ装置のオペレーションシステム起動装置となし、原コンピュータ装置の基本入出力システムを変更せずに、該コンピュータ装置に特定プログラムを実行させる時に、該データディスク中の媒体データを速やかにブラウズできるようにする。起動からイメージフレームを見られるまでの時間は一般のコンピュータ装置がオペレーションシステム起動完成しなければイメージフレームを見ることができないのに較べて短く、ゆえに実際の商業化応用の時、伝統的なコンピュータ装置のオペレーションシステム起動に必要な時間を短縮できる。
【００１７】
且つ、本発明中、起動時にはわずかにオペレーションシステムの基本の簡単なプログラム部分のみ必要であり、その他の多くの付属プログラム及び各種の周辺設備の駆動プログラムのロードは不要であり、ゆえにその全体のプログラムの占拠するデータ空間は小さく、データディスクのデータ保存の容量に影響を与えない。
【００１８】
さらに、本発明実行時に、コンピュータ装置は起動後に原コンピュータ装置のオペレーションシステムに進入せず、起動の後、本発明は並びにハードディスク中のデータを使用せず、即ちハードディスク中のプログラムデータを読み取って起動することがなく、ゆえに万一電源が切断されたり、外力振動を受けたりする状況でも、ハードディスク中のプログラム或いはデータが損壊する問題を発生しない。
【００１９】
更に、データディスク中には任意のオペレーションシステムを記録することができ、並びにコンピュータ装置の使用するオペレーションシステムに制限されない。ゆえに商業応用面にあって、異なるメーカー及び異なる媒体ファイルフォーマットに弾性的に応用可能である。
【００２０】
操作の簡便性の面からは、ユーザーは単純にデータディスクをコンピュータ装置のスロットに挿入して、更にコンピュータ装置の電源を入れれば、直接データディスク中の媒体データをブラウズでき、煩雑なコンピュータ装置起動作業は不要である。
【００２１】
本発明の採用する具体的方法及び制御フローは、以下の実施例及び添付の図面により更に詳細に説明される。
【発明を実施するための最良の形態】
【００２２】
図１は本発明の第１実施例のシステム機能ブロック図である。本発明のコンピュータ装置１００は、ＣＰＵ１１、第１バスブリッジ１２、第２バスブリッジ１３を包含し、そのうち、該ＣＰＵ１１はシステムバスを介して第１バスブリッジ１２に接続され、第１バスブリッジ１２にシステムメモリ１４が接続され、並びにディスプレイインタフェース１５０を介してディスプレイ１５が接続されている。
【００２３】
第２バスブリッジ１３に基本入出力システムメモリ１６が接続されている。該基本入出力システムメモリ１６中にはコンピュータ装置の起動時に必要な基本入出力システムプログラム１６１（ＢＩＯＳプログラム）及びＰＯＳＴ（パワーオンセルフテスト）プログラム１６２が保存されている。
【００２４】
第２バスブリッジ１３にバスを介してハードディスクインタフェース１７０が接続され、更にハードディスクインタフェース１７０を介してハードディスク１７が接続されている。該ハードディスク１７は本発明中のデータ保存媒体とされる。該ハードディスク１７中にはオペレーションシステム１７１及びその他の該オペレーションシステム環境下で操作可能な各種のアプリケーションプログラムがインストールされている。
【００２５】
該第２バスブリッジ１３はまた、バスを介してデータディスクインタフェース１８０に接続され、更に該データディスクインタフェース１８０を介してデータディスク読み取り装置１８に接続されている。該データディスク読み取り装置１８はデータディスク２（例えばＣＤ、ＤＶＤ）中のデータを読み取ることができる。
【００２６】
該第２バスブリッジ１３はまた異なるオーディオビデオインタフェース１９０を介してオーディオビデオ再生装置１９に接続されている。該オーディオビデオ再生装置１９は例えば、ＤＶＤ、ＭＰ３、データディスク、ＴＶなどの再生装置とされる。
【００２７】
図２は本発明のデータディスク中に保存されたオペレーションシステム、コンフィギュレーション設定パラメータファイル及びプログラム実行バッチファイル、媒体データ読み取りプログラム、及び少なくとも一つの媒体データファイルの表示図であり、それは該データディスク２の起動セクタ中にあって、保存されたオペレーションシステム２１を表示し、該オペレーションシステム２１はＬｉｎｕｘ（登録商標）オペレーションシステム（Ｌｉｎｕｘ−ｂａｓｅｄ  Ｏｐｅｒａｔｉｎｇ  Ｓｙｓｔｅｍ）とされうるほか、その他のタイプのオペレーションシステム、例えば、タイニーウインドウス（登録商標）オペレーションシステム（Ｔｉｎｙ  Ｗｉｎｄｏｗｓ（登録商標）−ｂａｓｅｄ  Ｏｐｅｒａｔｉｎｇ  Ｓｙｓｔｅｍ）、或いはその他のエンベッドオペレーションシステム（Ｅｍｂｅｄｄｅｄ  Ｏｐｅｒａｔｉｎｇ  Ｓｙｓｔｅｍ）とされうる。
【００２８】
該データディスク２のデータセクタ中にコンフィギュレーション設定パラメータファイル２２、プログラム実行バッチファイル２３、及び媒体データ読み取りプログラム２４、及び少なくとも一つの媒体データファイル２５が記録されている。該プログラム実行バッチファイル２３中には媒体データ読み取りプログラム２４実行の設定が設けられている。
【００２９】
図３及び図４は本発明の好ましい実施例の制御フローチャートである。図１のシステム機能ブロック図と図２も合わせて参照されたい。
【００３０】
まず、選定したデータディスク２を準備し（ステップ１０１）、並びに該データディスク２の起動セクタ中に、選定したオペレーションシステム２１をインストールし（ステップ１０２）、並びに該データディスク２中にコンフィギュレーション設定パラメータファイル２２、プログラム実行バッチファイル２３、少なくとも一つの選定した媒体データ読み取りプログラム２４、及び少なくとも一つの媒体データファイル２５を保存する（ステップ１０３）。
【００３１】
選定したデータディスク２を準備した後、該データディスク２をコンピュータ装置１００のデータディスク読み取り装置１８中に挿入し、並びにコンピュータ装置１００に該データディスク２をコンピュータ装置のオペレーションシステム起動装置とするよう設定する（ステップ１０４）。
【００３２】
その後、該コンピュータ装置１００を起動する（ステップ１０５）。コンピュータ装置１００起動時に、コンピュータ装置１００はまずシステム基本起動プロセスを実行する（ステップ１０６）。このとき、該コンピュータ装置１００は基本入出力システムメモリ１６中より基本入出力システムプログラム１６１及びＰＯＳＴ（パワーオンセルフテスト）プログラム１６２をロードする。
【００３３】
該コンピュータ装置１００がシステム開始及びＰＯＳＴ（パワーオンセルフテスト）プログラムを完成した後、該コンピュータ装置１００はデータディスク２が存在するかを検出及び確認し（ステップ１０７）、存在すれば、該データディスク２を起動装置とし、存在しなければ、該コンピュータ装置１００はハードディスク１７中にインストールされたオペレーションシステム１７１で起動する。このどの装置で起動するかの判別機能は、コンピュータ装置１００のＢＩＯＳ設定機能テーブル中で設定できる。例えば、ユーザーは該ＢＩＯＳ設定機能テーブル中にあって、データディスク２を第１順位の起動装置に設定でき、ハードディスク１７を第２順位の起動装置に設定できる。ゆえにコンピュータ装置１００の起動時に、データディスク読み取り装置１８にデータディスク２が置かれているを検出すると、コンピュータ装置１００はデータディスク２を起動装置となす。
【００３４】
コンピュータ装置１００のシステムメモリ１４中にランダムアクセスディスク領域１４１が画定されて、オペレーションシステムの実行、及び後続の媒体データ読み取りプログラム実行に必要な空間とされる（ステップ１０８）。コンピュータ装置１００がデータディスク２のオペレーションシステム２１を起動する時、該データディスク２の起動セクタより該オペレーションシステム２１をコンピュータ装置１００のシステムメモリ１４のランダムアクセスディスク領域１４１中にロードし、並びに該オペレーションシステム２１を実行する（ステップ１０９）。
【００３５】
その後、該コンピュータ装置１００は該データディスク２中のコンフィギュレーション設定パラメータファイル２２を読み取って実行し、こうして該コンピュータ装置１００のシステムコンフィギュレーション設定を完成する（ステップ１１０）。
【００３６】
続いて、コンピュータ装置１００が該データディスク２中に記録されたプログラム実行バッチファイル２３を読み取って実行し（ステップ１１１）、順に該プログラム実行バッチファイル２３中に設けられたプログラムを実行する。ゆえに、コンピュータ装置１００が該プログラム実行バッチファイル２３を実行する時は、該データディスク２中の媒体データ読み取りプログラム２４が直接起動、実行される（ステップ１１２）、並びに該データディスク２のデータセクタ中に記録された媒体データファイル２５が読み取られ（ステップ１１３）、該データディスク２中の媒体データがブラウズされる。
【００３７】
本発明の好ましい実施例では、該データディスク２中の媒体データ読み取りプログラム２４はイメージデータ読み取りプログラムとされ、該データディスク２中の媒体データはイメージデータとされる。ゆえに該データディスク２中の媒体データ読み取りプログラム２４を実行し、並びに該データディスク２のイメージデータを読み取る時、該イメージデータをブラウズできる。
【００３８】
上述の本発明の実施例から分かるように、本発明は設定オペレーションシステムと媒体データ読み取りプログラムが保存されたデータディスクをコンピュータ装置のオペレーションシステム起動装置となし、原コンピュータ装置の基本入出力システムを変更しないで、該コンピュータ装置に特定プログラムを実行させる時、速やかに該データディスク中に存在する媒体データをブラウズできるようにする。起動からイメージフレームを見ることができるまでの時間は、一般のコンピュータ装置において、オペレーションシステム起動を完成してからでなければイメージフレームを見ることができないのに較べて短く、ゆえに実際の商業化の応用にあって、伝統的なコンピュータ装置のオペレーションシステム起動に必要な時間を有効に短縮できる。且つ、本発明中の起動時にはオペレーションシステムの基本の簡単なプログラム部分のみ必要であり、その他の多くの付属プログラム及び各種周辺設備の駆動プログラムをロードする必要がなく、ゆえに、全体のプログラムの占有するデータ空間が小さく、データディスクのデータ保存容量に影響を与えない。更に、本発明を実行する時、コンピュータ装置は起動後に原コンピュータ装置のオペレーションシステムに進入せず、ゆえに原コンピュータ装置の異常周辺装置の影響を受けてフリーズ或いは原コンピュータ装置のハードディスクデータを損壊する恐れがない。ゆえに本発明は確実に産業上の利用価値を有する。
【００３９】
以上の実施例の説明は、本発明の好ましい実施例の説明にすぎず、本発明の技術の属する分野における通常の知識を有するものであれば、上述の実施例の説明に基づきその他の各種の改良及び変化をなしうる。しかしこれらの本発明の実施例に基づきなしうる各種の改良及び変化は、本発明の精神及び規定する請求範囲内に属するものとする。
【図面の簡単な説明】
【００４０】
【図１】本発明のシステム機能ブロック図である。
【図２】本発明のデータディスク中に保存されたオペレーションシステム、コンフィギュレーション設定パラメータファイル及びプログラム実行バッチファイル、媒体データ読み取りプログラム、及び少なくとも一つの媒体データファイルの表示図である。
【図３】本発明の好ましい実施例の制御フローチャートである。
【図４】本発明の好ましい実施例の制御フローチャートである。
【符号の説明】
【００４１】
１００  コンピュータ装置
１１  ＣＰＵ
１２  第１バスブリッジ
１３  第２バスブリッジ
１４  システムメモリ
１４１  ランダムアクセスディスク領域
１５  ディスプレイ
１５０  ディスプレイインタフェース
１６  基本入出力システムメモリ
１６１  基本入出力システムプログラム
１６２  ＰＯＳＴ（パワーオンセルフテスト）プログラム
１７  ハードディスク
１７０  ハードディスクインタフェース
１７１  オペレーションシステム
１８  データディスク読み取り装置
１８０  データディスクインタフェース
１９  オーディオビデオ再生装置
１９０  オーディオビデオインタフェース
２  データディスク
２１  オペレーションシステム
２２  コンフィギュレーション設定パラメータファイル
２３  プログラム実行バッチファイル
２４  媒体データ読み取りプログラム
２５  媒体データファイル
【図１】
2007035016.tif 000003
【図２】
2007035016.tif 000004
【図３】
2007035016.tif 000005
【図４】
2007035016.tif 000006